(57)【要約】【課題】ごみ圧縮時において、ごみ容器の移動を防止して安定保持するための補助体を提供する。【解決手段】脚部を有する側板を対向して設けるとともに、該側板前方に湾曲板を設け、脚部適所にスリットを設けたことを特徴とする。【選択図】図５
2010280503.tif 000002
【特許請求の範囲】
【請求項１】
脚部を有する側板を対向して設けるとともに、該側板前方に湾曲板を設け、脚部適所にスリットを設けたことを特徴とするごみ圧縮装置用補助体。
【請求項２】
スリットを有する台板上に側板を対向立設したことを特徴とするごみ圧縮装置用補助体。
【発明の詳細な説明】
【技術分野】
【０００１】  この発明は、ごみ圧縮装置に補助的に用いる補助体に関する。
【背景技術】
【０００２】  従来より、種々の圧縮装置が利用されているが、本発明に示すように、板体を用いて製作された、ごみ圧縮装置用の補助体は見あたらない。
【発明の開示】
【発明が解決しようとする課題】
【０００３】  ごみを圧縮する場合、押圧板を昇降させてこの押圧板にて容器内のごみを押圧減容するが、この押圧板と容器の相互位置および容器内ごみの均一性などにより、均一に正しく押圧されないことが想定される。また、押圧時の容器位置の安定も大切であるが、これらの問題に対処しうる有力な手段が存在しないのが現状である。
本発明は、このようなごみ圧縮時に関わる課題を解決するために発明されたもので、ごみ圧縮時におけるごみ容器位置の安定を保持できる、新規かつ有用なる物品を提供することを目的としたものである。
【課題を解決するための手段】
【０００４】  課題を解決する手段として本発明は以下の構成とした。
すなわち、脚部を有する側板を対向して設けるとともに、該側板前方に湾曲板を設け、脚部適所にスリットを設ける。本発明は以上の構成よりなるごみ圧縮装置用補助体である。
また、スリットを有する台板上に側板を対向立設して構成してもよい。
【発明の効果】
【０００５】  本発明によれば、板体をごみ容器側面に対向当接させ、この板体をごみ圧縮装置の基板上に固定することにてごみ容器の位置固定を可能とし、ごみ圧縮時のごみ容器位置ずれを防止して安定均一にごみを圧縮減容するための一助となる有用なる物品を得ることができる。また、本品に適宜にスリットを設けることにて、ごみ容器サイズの変更にも対応することができる。
【発明を実施するための最良の形態】
【０００６】  以下、本発明の実施形態について説明する。
図において、１は側板で、その下方前部を一部切除するとともにＬ形に折曲して脚部２を形成してなる金属製板体で、その前部側面には湾曲板３が固着される。４は脚部に設けられる長穴状のスリット、５は側板後部に固着される補強板である。
本発明を使用する場合について説明する。図５〜図８は本発明の使用例を示すもので、ごみ圧縮の際は上方のハンドルを回すことにて押圧板の昇降が可能なタイプのごみ圧縮装置を利用する場合であり、基板上には適宜に雌ねじが刻設されている。まず、押圧板直下位置にごみの入ったごみ容器を置く。次に、スリットを介して蝶ボルトを基板上の雌ねじに螺合させ、湾曲板をごみ容器側面に当接させる。本品は２個一組にて使用し、ごみ容器を挟んで対向配置される。そして、本品位置が定まった後に、蝶ボルトを締めて本品の位置固定を行う。以上の手順後に、ハンドルを回して押圧板を下降させ、ごみの圧縮減容を行う。
通常の使用ではごみは均一に押圧を受けるが、ごみが不均一に収容されている、あるいは押圧板直下位置にごみ容器が位置しない場合にても本品によってごみ容器はしっかりと固定されるので、ごみ容器の位置ずれを防止して確実にごみの減容を行うことができる。
なお、本品はごみ容器外径に適合した湾曲板を用いることが肝要で、使用するごみ容器に合わせて複数種類の補助体を用意する必要がある。また、本例において脚部に長穴状のスリットを設けており、蝶ボルトをゆるめることにて本品を基板に対してスライドさせることができ、ごみ容器に正しくセットすることができる。【０００７】  図９〜図１６は、本発明の他例を示すものである。
図において、１０は台板で、その両側近傍にスリット１１が各々形成される。１２は側板で、台板上に対向立設され、その前部は台板よりやや張り出すとともに切除部１３が設けられる。また、側板前端は当接部１４として平面視半円状に形成される。１５は側板間に固着される前部補強板、１６は後部補強板である。
本例は、前例のごとくごみ容器サイズに合わせた補強体を用いることなく、一個の補助体にてサイズの異なるごみ容器に対応することを想定したものである。つまり、湾曲板に代えて側板前端をごみ容器に当接して用いるもので、ごみ容器外径が変わっても本品をスライドさせることにて当接部をごみ容器に当接させることができるものである。またスリットは一方の台板端より内方へ進むように設けており、蝶ボルトを少しゆるめることにて本品をスライドさせることができ、また、抜き取ることが可能であり、使用時の利便性が得られる。【０００８】  以上、本発明について記したが、本発明は簡易な物品にてごみ圧縮時のごみ容器の移動を防止して安定保持し、円滑なるごみ圧縮減容に寄与するものである。なお、図にてはごみ容器のみを用いる場合を表現したが、このごみ容器に所定サイズのごみ袋をかぶせて使用すれば、減容後のごみを容易に取り出すことができる。他例において、当接部を曲面状に形成したのはごみ容器外径が異なった場合においては、この当接部に接触するごみ容器側面角度が変化するので、これに対応するために設けたものである。なお、この当接部にゴム板を接着すればごみ容器に傷をつける恐れを回避できる。
初例におけるスリットは長穴状としたが、他例のごとく板体端より内奥に向かうスリットとしてもよい。また、蝶ボルトに代えて雄ねじを有するレバーとしてもよい。
他例において当接部に切除部を設けたので、より軽量となり、ごみ容器が歪んでいても対応することができる。さらに、既述の例において適宜に切除部を設けてより一層の軽量化を図ることもできる。初例は湾曲板全面をごみ容器に当接させるので、ごみ容器をより安定して保持でき、他例は一個の補助体にてごみ容器サイズの変化に対応できるので、使用状況に合わせて使い分けてもよい。なお、既述の例は実施の一例であり、近似の他の構成としてもよい。以上のごとく、本発明によってごみ圧縮時におけるごみ容器の安定保持を可能とする有用なる物品を得ることができる。
【図面の簡単な説明】
【０００９】
【図１】本発明の平面図
【図２】本発明の正面図
【図３】本発明の左側面図
【図４】本発明の使用参考図（平面視・一部略）
【図５】本発明の使用参考図（正面視）
【図６】本発明の使用参考図（要部拡大）
【図７】本発明の使用参考図（要部拡大）
【図８】本発明の使用参考図（要部拡大）
【図９】本発明の他例平面図
【図１０】本発明の他例正面図
【図１１】本発明の他例左側面図
【図１２】本発明の他例使用参考図（平面視・一部略）
【図１３】本発明の他例使用参考図（正面視）
【図１４】本発明の他例使用参考図（要部拡大）
【図１５】本発明の他例使用参考図（要部拡大）
【図１６】本発明の他例使用参考図（要部拡大）
【符号の説明】
【００１０】１    側板
２    脚部
３    湾曲板
４    スリット
５    補強板
１０  台板
１１  スリット
１２  側板
１３  切除部
１４  当接部
１５  前部補強板
１６  後部補強板
２０  ごみ容器
２１  蝶ボルト
３０  ハンドル
３１  基板
３２  押圧板
【図１】
2010280503.tif 000003
【図２】
2010280503.tif 000004
【図３】
2010280503.tif 000005
【図４】
2010280503.tif 000006
【図５】
2010280503.tif 000007
【図６】
2010280503.tif 000008
【図７】
2010280503.tif 000009
【図８】
2010280503.tif 000010
【図９】
2010280503.tif 000011
【図１０】
2010280503.tif 000012
【図１１】
2010280503.tif 000013
【図１２】
2010280503.tif 000014
【図１３】
2010280503.tif 000015
【図１４】
2010280503.tif 000016
【図１５】
2010280503.tif 000017
【図１６】
2010280503.tif 000018